(57)【要約】  本願の実施例は、リソース構成方法、端末デバイス及びネットワークデバイスに関する。当該方法は、第１の端末デバイスが接続状態にある場合、ネットワークデバイスにより送信されたリソース構成情報を受信することと、当該第１の端末デバイスが非アクティブ状態又はアイドル状態にある場合、当該専用伝送リソースを使用して第２の端末デバイスにデータを送信することとを含み、当該リソース構成情報は専用伝送リソースを示す。本発明の実施例に係るリソース構成方法、端末デバイス及びネットワークデバイスは、接続状態にあるときネットワークデバイスから割り当てられた専用伝送リソースを受信し、非アクティブ状態又はアイドル状態にあるとき当該専用伝送リソースを用いて他の端末デバイスとデータを伝送することにより、非アクティブ状態又はアイドル状態にあるときネットワークデバイスから設定された専用伝送リソースを端末デバイスでも利用することができ、端末デバイスの省電力化を図ることができるとともに、専用リソースの利点を利用することができる。
2021500758.tif 000002
【特許請求の範囲】
【請求項１】
第１の端末デバイスが接続状態にある場合、ネットワークデバイスにより送信されたリソース構成情報を受信することと、
前記第１の端末デバイスが非アクティブ状態又はアイドル状態にある場合、専用伝送リソースを利用して第２の端末デバイスにデータを送信することとを含み、
前記リソース構成情報は、前記専用伝送リソースを示す
ことを特徴とするリソース構成方法。
【請求項２】
前記ネットワークデバイスにより送信されたリソース構成情報を受信することは、
前記第１の端末デバイスが前記ネットワークデバイスにより送信された無線リソース制御ＲＲＣメッセージを受信することを含み、前記ＲＲＣメッセージは、前記リソース構成情報を含む
ことを特徴とする請求項１に記載のリソース構成方法。
【請求項３】
前記ＲＲＣメッセージは、前記第１の端末デバイスが前記接続状態から前記非アクティブ状態又はアイドル状態に移行するように指示する
ことを特徴とする請求項２に記載のリソース構成方法。
【請求項４】
前記方法は、さらに、
前記第１の端末デバイスが前記接続状態にある場合、前記ネットワークデバイスにより送信された受信リソース情報を受信することと、
前記第１の端末デバイスが非アクティブ状態又はアイドル状態にある場合、受信リソース集合内のリソースを利用して第３の端末デバイスにより送信されたデータを受信することとを含み、
前記受信リソース情報は、前記受信リソース集合を示す
ことを特徴とする請求項１〜３のいずれか１項に記載のリソース構成方法。
【請求項５】
前記ネットワークデバイスにより送信された受信リソース情報を受信することは、
前記第１の端末デバイスが前記ネットワークデバイスにより送信されたＲＲＣシグナリング又はシステム情報ブロックＳＩＢを受信することを含み、
前記ＲＲＣシグナリングと前記ＳＩＢとは、前記受信リソース情報を含む
ことを特徴とする請求項４に記載のリソース構成方法。
【請求項６】
前記第１の端末デバイスが前記ネットワークデバイスにより送信されたＲＲＣメッセージ又はシステム情報ブロックＳＩＢを受信することは、
前記第１の端末デバイスが前記ネットワークデバイスにより周期的に放送される前記ＳＩＢを受信することを含む
ことを特徴とする請求項５に記載のリソース構成方法。
【請求項７】
前記専用伝送リソースは、前記受信リソース集合に属する
ことを特徴とする請求項４〜６のいずれか１項に記載のリソース構成方法。
【請求項８】
前記専用伝送リソースは、端末デバイスグループのデータ送信に用いられ、前記端末デバイスグループは、少なくとも２つの端末デバイスを含み、前記少なくとも２つの端末デバイスは、前記第１の端末デバイスを含む
ことを特徴とする請求項１〜７のいずれか１項に記載のリソース構成方法。
【請求項９】
前記端末デバイスグループにおいて同時にデータを送信する複数の端末が存在せず、前記端末デバイスグループにおいて１つの端末デバイスのみが前記専用伝送リソースを利用してデータを送信する
ことを特徴とする請求項８に記載のリソース構成方法。
【請求項１０】
前記端末デバイスグループにおいて同時にデータを送信する複数の端末が存在しており、前記複数の端末デバイスが異なる専用伝送リソースを同時に利用してデータを送信する
ことを特徴とする請求項８に記載のリソース構成方法。
【請求項１１】
前記リソース構成情報は、前記第１の端末デバイスの識別子を含む
ことを特徴とする請求項１〜１０のいずれか１項に記載のリソース構成方法。
【請求項１２】
前記第１の端末デバイスの識別子は、前記第１の端末デバイスが前記第２の端末デバイスにデータを送信する送信元アドレスを示す
ことを特徴とする請求項１１に記載のリソース構成方法。
【請求項１３】
ネットワークデバイスが第１の端末デバイスのために専用伝送リソースを構成することと、
前記ネットワークデバイスが接続状態にある前記第１の端末デバイスにリソース構成情報を送信することとを含み、
前記専用伝送リソースは、前記第１の端末デバイスが非アクティブ状態又はアイドル状態にある場合、第２の端末デバイスにデータを送信するために用いられ、
前記リソース構成情報は、前記専用伝送リソースを示す
ことを特徴とするリソース構成方法。
【請求項１４】
前記ネットワークデバイスが接続状態にある前記第１の端末デバイスにリソース構成情報を送信することは、
前記ネットワークデバイスが前記接続状態にある前記第１の端末デバイスに無線リソース制御ＲＲＣメッセージを送信することを含み、前記ＲＲＣメッセージは、前記リソース構成情報を含む
ことを特徴とする請求項１３に記載のリソース構成方法。
【請求項１５】
前記ＲＲＣメッセージは、前記第１の端末デバイスが前記接続状態から前記非アクティブ状態又はアイドル状態に移行するように指示する
ことを特徴とする請求項１４に記載のリソース構成方法。
【請求項１６】
前記方法は、さらに、
前記ネットワークデバイスが前記接続状態にある前記第１の端末デバイスに受信リソース情報を送信することを含み、前記受信リソース情報は、受信リソース集合を示し、前記受信リソース集合内のリソースは、前記第１の端末デバイスが非アクティブ状態又はアイドル状態にある時に第３の端末デバイスにより送信されたデータを受信するために用いられる
ことを特徴とする請求項１３〜１５のいずれか１項に記載のリソース構成方法。
【請求項１７】
前記ネットワークデバイスが前記接続状態にある前記第１の端末デバイスに受信リソース情報を送信することは、
前記ネットワークデバイスが前記接続状態にある前記第１の端末デバイスにＲＲＣシグナリング又はシステム情報ブロックＳＩＢを送信することを含み、前記ＲＲＣシグナリングと前記ＳＩＢとは、前記受信リソース情報を含む
ことを特徴とする請求項１６に記載のリソース構成方法。
【請求項１８】
前記ネットワークデバイスが前記接続状態にある前記第１の端末デバイスにＲＲＣメッセージ又はシステム情報ブロックＳＩＢを送信することは、
前記ネットワークデバイスが前記ＳＩＢを周期的に放送することを含む
ことを特徴とする請求項１７に記載のリソース構成方法。
【請求項１９】
前記ネットワークデバイスが第１の端末デバイスのために専用伝送リソースを構成することは、
前記ネットワークデバイスが前記受信リソース集合から前記専用伝送リソースを確定することを含む
ことを特徴とする請求項１６〜１８のいずれか１項に記載のリソース構成方法。
【請求項２０】
前記ネットワークデバイスが第１の端末デバイスのために専用伝送リソースを構成することは、
前記ネットワークデバイスが端末デバイスグループのために前記専用伝送リソースを構成することを含み、
前記端末デバイスグループは、少なくとも２つの端末デバイスを含み、前記少なくとも２つの端末デバイスは、前記第１の端末デバイスを含む
ことを特徴とする請求項１３〜１８のいずれか１項に記載のリソース構成方法。
【請求項２１】
前記端末デバイスグループにおいて同時にデータを送信する複数の端末が存在せず、
前記ネットワークデバイスが端末デバイスグループのために前記専用伝送リソースを構成することは、
前記ネットワークデバイスが前記端末デバイスグループのために前記専用伝送リソースを構成することを含み、
前記端末デバイスグループにおいて１つの端末デバイスのみが前記専用伝送リソースを利用してデータを送信する
ことを特徴とする請求項２０に記載のリソース構成方法。
【請求項２２】
前記端末デバイスグループにおいて同時にデータを送信する複数の端末が存在しており、
前記ネットワークデバイスが端末デバイスグループのために前記専用伝送リソースを構成することは、
前記ネットワークデバイスが前記端末デバイスグループのために複数の専用伝送リソースを構成することを含み、
前記複数の端末デバイスが前記複数の専用伝送リソース内の異なる専用伝送リソースを同時に使用してデータを送信する
ことを特徴とする請求項２０に記載のリソース構成方法。
【請求項２３】
前記ネットワークデバイスが第１の端末デバイスのために専用伝送リソースを構成することは、
前記ネットワークデバイスと他のネットワークデバイスとが前記専用伝送リソースを協議して確定することを含み、
前記他のネットワークデバイスと前記ネットワークデバイスとが、同一の無線アクセスネットワークＲＡＮ領域に存在する異なるネットワークデバイスである
ことを特徴とする請求項１３〜１８のいずれか１項に記載のリソース構成方法。
【請求項２４】
前記リソース構成情報は、前記第１の端末デバイスの識別子を含む
ことを特徴とする請求項１３〜２３のいずれか１項に記載のリソース構成方法。
【請求項２５】
前記端末デバイスが接続状態にある場合、ネットワークデバイスにより送信されたリソース構成情報を受信するように構成される受信ユニットと、
前記端末デバイスが非アクティブ状態又はアイドル状態にある場合、専用伝送リソースを利用して第２の端末デバイスにデータを送信するように構成される送信ユニットとを含み、
前記リソース構成情報は、前記専用伝送リソースを示す
ことを特徴とする端末デバイス。
【請求項２６】
前記受信ユニットは、
前記端末デバイスが接続状態にある場合、前記ネットワークデバイスにより送信された無線リソース制御ＲＲＣメッセージを受信するように構成され、
前記ＲＲＣメッセージは、前記リソース構成情報を含む
ことを特徴とする請求項２５に記載の端末デバイス。
【請求項２７】
前記ＲＲＣメッセージは、前記端末デバイスが前記接続状態から前記非アクティブ状態又はアイドル状態に移行するように指示する
ことを特徴とする請求項２６に記載の端末デバイス。
【請求項２８】
前記受信ユニットは、さらに、
前記端末デバイスが前記接続状態にある場合、前記ネットワークデバイスにより送信された受信リソース情報を受信し、
前記端末デバイスが非アクティブ状態又はアイドル状態にある場合、受信リソース集合内のリソースを利用して第３の端末デバイスにより送信されたデータを受信するように構成され、
前記受信リソース情報は、前記受信リソース集合を示す
ことを特徴とする請求項２５〜２７のいずれか１項に記載の端末デバイス。
【請求項２９】
前記受信ユニットは、
前記端末デバイスが前記接続状態にある場合、前記ネットワークデバイスにより送信されたＲＲＣシグナリング又はシステム情報ブロックＳＩＢを受信するように構成され、
前記ＲＲＣシグナリングと前記ＳＩＢとは、前記受信リソース情報を含む
ことを特徴とする請求項２８に記載の端末デバイス。
【請求項３０】
前記受信ユニットは、
前記端末デバイスが前記接続状態にある場合、前記ネットワークデバイスにより周期的に放送される前記ＳＩＢを受信するように構成される
ことを特徴とする請求項２９に記載の端末デバイス。
【請求項３１】
前記専用伝送リソースは、前記受信リソース集合に属する
ことを特徴とする請求項２８〜３０のいずれか１項に記載の端末デバイス。
【請求項３２】
前記専用伝送リソースは、端末デバイスグループのデータ送信に用いられ、前記端末デバイスグループは、少なくとも２つの端末デバイスを含み、前記少なくとも２つの端末デバイスは、前記端末デバイスを含む
ことを特徴とする請求項２５〜３１のいずれか１項に記載の端末デバイス。
【請求項３３】
前記端末デバイスグループにおいて同時にデータを送信する複数の端末が存在せず、前記端末デバイスグループにおいて１つの端末デバイスのみが前記専用伝送リソースを利用してデータを送信する
ことを特徴とする請求項３２に記載の端末デバイス。
【請求項３４】
前記端末デバイスグループにおいて同時にデータを送信する複数の端末が存在しており、前記複数の端末デバイスが異なる専用伝送リソースを同時に利用してデータを送信する
ことを特徴とする請求項３２に記載の端末デバイス。
【請求項３５】
前記リソース構成情報は、前記端末デバイスの識別子を含む
ことを特徴とする請求項２５〜３４のいずれか１項に記載の端末デバイス。
【請求項３６】
前記端末デバイスの識別子は、前記端末デバイスが前記第２の端末デバイスにデータを送信する送信元アドレスを示す
ことを特徴とする請求項３５に記載の端末デバイス。
【請求項３７】
第１の端末デバイスのために専用伝送リソースを構成するように構成される処理ユニットと、
接続状態にある前記第１の端末デバイスにリソース構成情報を送信するように構成される送信ユニットとを含み、
前記専用伝送リソースは、前記第１の端末デバイスが非アクティブ状態又はアイドル状態にある場合、第２の端末デバイスにデータを送信するために用いられ、
前記リソース構成情報は、前記専用伝送リソースを示す
ことを特徴とするネットワークデバイス。
【請求項３８】
前記送信ユニットは、
前記接続状態にある前記第１の端末デバイスに無線リソース制御ＲＲＣメッセージを送信するように構成され、
前記ＲＲＣメッセージは、前記リソース構成情報を含む
ことを特徴とする請求項３７に記載のネットワークデバイス。
【請求項３９】
前記ＲＲＣメッセージは、前記第１の端末デバイスが前記接続状態から前記非アクティブ状態又はアイドル状態に移行するように指示する
ことを特徴とする請求項３８に記載のネットワークデバイス。
【請求項４０】
前記送信ユニットは、さらに、
前記接続状態にある前記第１の端末デバイスに受信リソース情報を送信するように構成され、
前記受信リソース情報は、受信リソース集合を示し、前記受信リソース集合内のリソースは、前記第１の端末デバイスが非アクティブ状態又はアイドル状態にある時に第３の端末デバイスにより送信されたデータを受信するために用いられる
ことを特徴とする請求項３７〜３９のいずれか１項に記載のネットワークデバイス。
【請求項４１】
前記送信ユニットは、
前記接続状態にある前記第１の端末デバイスにＲＲＣシグナリング又はシステム情報ブロックＳＩＢを送信するように構成され、
前記ＲＲＣシグナリングと前記ＳＩＢとは、前記受信リソース情報を含む
ことを特徴とする請求項４０に記載のネットワークデバイス。
【請求項４２】
前記送信ユニットは、
前記ＳＩＢを周期的に放送するように構成される
ことを特徴とする請求項４１に記載のネットワークデバイス。
【請求項４３】
前記処理ユニットは、
前記受信リソース集合から前記専用伝送リソースを確定するように構成される
ことを特徴とする請求項４０〜４２のいずれか１項に記載のネットワークデバイス。
【請求項４４】
前記処理ユニットは、
端末デバイスグループのために前記専用伝送リソースを構成するように構成され、
前記端末デバイスグループは、少なくとも２つの端末デバイスを含み、前記少なくとも２つの端末デバイスは、前記第１の端末デバイスを含む
ことを特徴とする請求項３７〜４２のいずれか１項に記載のネットワークデバイス。
【請求項４５】
前記端末デバイスグループにおいて同時にデータを送信する複数の端末が存在せず、
前記処理ユニットは、
前記端末デバイスグループのために前記専用伝送リソースを構成するように構成され、
前記端末デバイスグループにおいて１つの端末デバイスのみが前記専用伝送リソースを利用してデータを送信する
ことを特徴とする請求項４４に記載のネットワークデバイス。
【請求項４６】
前記端末デバイスグループにおいて同時にデータを送信する複数の端末が存在しており、
前記処理ユニットは、
前記端末デバイスグループのために複数の専用伝送リソースを構成するように構成され、
前記複数の端末デバイスが前記複数の専用伝送リソース内の異なる専用伝送リソースを同時に使用してデータを送信する
ことを特徴とする請求項４４に記載のネットワークデバイス。
【請求項４７】
前記処理ユニットは、
他のネットワークデバイスと前記専用伝送リソースを協議して確定するように構成され、
前記他のネットワークデバイスと前記ネットワークデバイスとが、同一の無線アクセスネットワークＲＡＮ領域に存在する異なるネットワークデバイスである
ことを特徴とする請求項３７〜４２のいずれか１項に記載のネットワークデバイス。
【請求項４８】
前記リソース構成情報は、前記第１の端末デバイスの識別子を含む
ことを特徴とする請求項３７〜４７のいずれか１項に記載のネットワークデバイス。
【発明の詳細な説明】
【技術分野】
【０００１】
本願は、通信分野に関し、特に、リソース構成方法、端末デバイス及びネットワークデバイスに関する。
【背景技術】
【０００２】
Ｄ２Ｄ（ｄｅｖｉｃｅ−ｔｏ−ｄｅｖｉｃｅ Ｃｏｍｍｕｎｉｃａｔｉｏｎ）技術は、サイドリンク（ｓｉｄｅｌｉｎｋ）に基づいて行われ、基地局の上り下り伝送リソースを使用しなくてもよく、独自の利点を有し、ロングタームエボリューション(ＬＴＥ ) Ｒｅｌ−１２のリリースにおいて導入されている。第５世代( ５ ｔｈ ｇｅｎｅｒａｔｉｏｎ、５Ｇ )のシステムの新規無線( ｎｅｗ ｒａｄｉｏ、ＮＲ )の研究および標準化が進むにつれて、５ＧシステムにおけるサイドリンクＤ２Ｄ通信技術の導入は、必然的に生じる傾向である。
【０００３】
従来のＬＴＥ Ｄ２Ｄでは、スケジューリングモード及びリソースプールモードが導入され、それぞれモード１及びモード２と略される。モード１は、接続状態でのみ使用可能であり、基地局のスケジューリングで行い、端末デバイスと基地局間のＵｕポートを占有し、端末デバイスが接続状態を維持する必要があり、消費電力が大きい。一方、モード２は接続状態で行われてもよく、アイドルモードで使用されてもよいが、共有されるリソースプールのみが使用されてもよく、共有リソースプールを使用する場合に衝突があり得るので、ＬＴＥ Ｄ２Ｄに基づくＶ２Ｘ ( ｖｅｈｉｃｌｅ ｔｏ Ｘ)では、共有リソースプールモードにセンシング（ｓｅｎｓｉｎｇ）が導入されるが、導入されたセンシングは遅延を増加させる。
【発明の概要】
【０００４】
本願は、端末デバイスの消費電力を低減し、通信システムの性能を向上させることができるリソース構成方法、端末デバイス及びネットワークデバイスを提供する。
【０００５】
第１の形態は、リソース構成方法を提供し、当該方法は、第１の端末デバイスが接続状態にある場合、ネットワークデバイスにより送信されたリソース構成情報を受信することと、当該第１の端末デバイスが非アクティブ状態又はアイドル状態にある場合、当該専用伝送リソースを使用して第２の端末デバイスにデータを送信することとを含み、当該リソース構成情報は、専用伝送リソースを示す。
【０００６】
このように、本願の実施例のリソース構成方法は、端末デバイスが接続状態のときにネットワークデバイスから割り当てられた専用伝送リソースを受信し、非アクティブ状態またはアイドル状態のときにその専用伝送リソースを用いて他の端末デバイスとデータを伝送することにより、端末デバイスが非アクティブ状態またはアイドル状態のときにネットワークデバイスから構成された専用伝送リソースを用いることができ、端末デバイスの省電力化を図るとともに、専用リソースの利点を利用することができる。
【０００７】
第１の形態と結合し、第１の形態の実現可能な方式において、当該ネットワークデバイスにより送信されたリソース構成情報を受信することは、当該第１の端末デバイスが当該ネットワークデバイスにより送信された無線リソース制御（ｒａｄｉｏ ｒｅｓｏｕｒｃｅ ｃｏｎｔｒｏｌ、ＲＲＣ）メッセージを受信することを含み、当該ＲＲＣメッセージは当該リソース構成情報を含む。
【０００８】
第１の形態及び上記の実現方式をと結合し、第１の形態の他の実現方式において、当該ＲＲＣメッセージは、当該第１の端末デバイスが当該接続状態から当該非アクティブ状態又はアイドル状態に移行するように指示する。
【０００９】
第１の形態及び上記の実現方式をと結合し、第１の形態の他の実現方式において、当該方法は、さらに、当該第１の端末デバイスが当該接続状態にある場合、当該ネットワークデバイスにより送信された受信リソース情報を受信することと、当該受信リソース情報は、受信リソース集合を示し、当該第１の端末デバイスが非アクティブ状態又はアイドル状態にある場合、当該受信リソース集合内のリソースを利用して第３の端末デバイスにより送信されたデータを受信することとを含む。
【００１０】
第１の形態及び上記の実現方式をと結合し、第１の形態の他の実現方式において、当該ネットワークデバイスにより送信された受信リソース情報を受信することは、当該第１の端末デバイスが当該ネットワークデバイスにより送信されたＲＲＣシグナリング又はシステム情報ブロック（ｓｙｓｔｅｍ ｉｎｆｏｒｍａｔｉｏｎ ｂｌｏｃｋ、ＳＩＢ）を受信することを含み、当該ＲＲＣシグナリングと当該ＳＩＢは、当該受信リソース情報を含む。
【００１１】
第１の形態及び上記の実現方式をと結合し、第１の形態の他の実現方式において、当該第１の端末デバイスが当該ネットワークデバイスにより送信されたＲＲＣメッセージ又はＳＩＢを受信することは、当該第１の端末デバイスが当該ネットワークデバイスにより周期的に放送された当該ＳＩＢを受信することを含む。
【００１２】
第１の形態及び上記の実現方式をと結合し、第１の形態の他の実現方式において、当該専用伝送リソースが当該受信リソース集合に属する。
【００１３】
第１の形態及び上記の実現方式をと結合し、第１の形態の他の実現方式において、当該専用伝送リソースは、当該第１の端末デバイスのみのデータ送信に用いられる。
【００１４】
第１の形態及び上記の実現方式をと結合し、第１の形態の他の実現方式において、当該専用伝送リソースは、端末デバイスグループのデータ送信に用いられ、当該端末デバイスグループは、少なくとも２つの端末デバイスを含み、当該少なくとも２つの端末デバイスは、当該第１の端末デバイスを含む。
【００１５】
第１の形態及び上記の実現方式をと結合し、第１の形態の他の実現方式において、当該端末デバイスグループにおいて同時にデータを送信する複数の端末デバイスが存在せず、当該端末デバイスグループにいて１つの端末デバイスのみが当該専用伝送リソースを利用してデータを送信する。
【００１６】
第１の形態及び上記の実現方式をと結合し、第１の形態の他の実現方式において、当該端末デバイスグループにおいて同時にデータを送信する複数の端末デバイスが存在し、当該複数の端末デバイスは、異なる専用伝送リソースを同時に利用してデータを送信する。
【００１７】
第１の形態及び上記の実現方式をと結合し、第１の形態の他の実現方式において、当該リソース構成情報は、当該第１の端末デバイスの識別子を含む。
【００１８】
第１の形態及び上記の実現方式をと結合し、第１の形態の他の実現方式において、当該第１の端末デバイスの識別子は、当該第１の端末デバイスが当該第２の端末デバイスにデータを送信する送信元アドレスを示す。
【００１９】
なお、当該第１の端末デバイスの識別子は、当該第１の端末デバイスを一意に識別する。
【００２０】
任意選択で、第１の端末デバイスの識別情報は、特定のハッシュ又は短縮送信を経て、第一の端末デバイスを識別するための短縮識別情報を生成することができる。
【００２１】
このように、本願の実施例のリソース構成方法は、端末デバイスが接続状態のときにネットワークデバイスから割り当てられた専用伝送リソースを受信し、非アクティブ状態またはアイドル状態のときにその専用伝送リソースを用いて他の端末デバイスとデータを伝送することにより、端末デバイスが非アクティブ状態またはアイドル状態のときにネットワークデバイスから構成された専用伝送リソースを用いることができ、端末デバイスの省電力化を図るとともに、専用リソースの利点を利用することができる。
【００２２】
第２の形態は、リソース構成方法を提供し、当該方法は、ネットワークデバイスが第１の端末デバイスのために専用伝送リソースを構成することと、当該ネットワークデバイスが接続状態にある当該第１の端末デバイスにリソース構成情報を送信することとを含み、当該専用伝送リソースは、当該第１の端末デバイスが非アクティブ状態又はアイドル状態にあるときに第２の端末デバイスにデータを送信するために用いられ、当該リソース構成情報は、当該専用伝送リソースを示す。
【００２３】
このように、本願の実施例のリソース構成方法は、ネットワークデバイスが端末デバイスに専用伝送リソースを構成し、端末デバイスが接続状態にあるときに専用伝送リソースを端末デバイスに送信することで、端末デバイスが非アクティブ状態またはアイドル状態にあるときに専用伝送リソースを用いて他の端末デバイスとの間でデータを伝送することができ、端末デバイスが非アクティブ状態またはアイドル状態にあるときにもネットワークデバイスが設定した専用伝送リソースを用いることができ、端末デバイスの省電力化を図ることができるとともに、端末デバイスが専用のリソースの利点を受けることができる。
【００２４】
第２の形態と結合し、第２の形態の実現可能な方式において、当該ネットワークデバイスが接続状態にある当該第１の端末デバイスにリソース構成情報を送信することは、当該ネットワークデバイスが当該接続状態にある当該第１の端末デバイスにＲＲＣメッセージを送信することを含み、当該ＲＲＣメッセージは当該リソース構成情報を含む。
【００２５】
第２の形態及びその実現可能な方式と結合し、第２の形態の他の実現可能な方式において、当該ＲＲＣメッセージは、当該第１の端末デバイスが当該接続状態から当該非アクティブ状態又はアイドル状態に移行するように指示する。
【００２６】
第２の形態及びその実現可能な方式と結合し、第２の形態の他の実現可能な方式において、当該方法は、さらに、当該ネットワークデバイスが当該接続状態にある当該第１の端末デバイスに受信リソース情報を送信することを含み、当該受信リソース情報は、受信リソース集合を示し、当該受信リソース集合内のリソースは、当該第１の端末デバイスが非アクティブ状態又はアイドル状態にある時に第３の端末デバイスにより送信されたデータを受信するために用いられる。
【００２７】
第２の形態及びその実現可能な方式と結合し、第２の形態の他の実現可能な方式において、当該ネットワークデバイスが当該接続状態にある当該第１の端末デバイスに受信リソース情報を送信することは、当該ネットワークデバイスが当該接続状態にある当該第１の端末デバイスにＲＲＣシグナリング又はＳＩＢを送信することを含み、当該ＲＲＣシグナリングと当該ＳＩＢは、当該受信リソース情報を含む。
【００２８】
第２の形態及びその実現可能な方式と結合し、第２の形態の他の実現可能な方式において、当該ネットワークデバイスは当該接続状態にある当該第１の端末デバイスにＲＲＣメッセージ又はＳＩＢを送信することは、当該ネットワークデバイスが周期的に当該ＳＩＢを放送することを含む。
【００２９】
第２の形態及びその実現可能な方式と結合し、第２の形態の他の実現可能な方式において、当該ネットワークデバイスが第１の端末デバイスのために専用伝送リソースを構成することは、当該ネットワークデバイスが当該受信リソース集合から当該専用伝送リソースを確定することを含む。
【００３０】
なお、当該ネットワークデバイスが第２の端末デバイスに当該受信リソース集合を送信することで、当該第２の端末デバイスが当該受信リソース集合内のリソースを利用して第１の端末デバイスにより送信されたデータを受信する。
【００３１】
第２の形態及びその実現可能な方式と結合し、第２の形態の他の実現可能な方式において、当該ネットワークデバイスが第１の端末デバイスのために専用伝送リソースを構成することは、当該ネットワークデバイスが端末デバイスグループのために当該専用伝送リソースを構成することを含み、当該端末デバイスグループは、少なくとも２つの端末デバイスを含み、当該少なくとも２つの端末デバイスは、当該第１の端末デバイスを含む。
【００３２】
第２の形態及びその実現可能な方式と結合し、第２の形態の他の実現可能な方式において、当該端末デバイスグループにおいて同時にデータを送信する複数の端末デバイスが存在せず、当該ネットワークデバイスが端末デバイスグループのために当該専用伝送リソースを構成することは、当該ネットワークデバイスが当該端末デバイスグループのために当該専用伝送リソースを構成することを含み、当該端末デバイスグループにおいて１つの端末デバイスのみが当該専用伝送リソースを利用してデータを送信する。
【００３３】
第２の形態及びその実現可能な方式と結合し、第２の形態の他の実現可能な方式において、当該端末デバイスグループにおいて同時にデータを送信する複数の端末デバイスが存在し、当該ネットワークデバイスが端末デバイスグループのために当該専用伝送リソースを構成することは、当該ネットワークデバイスが当該端末デバイスグループのために複数の専用伝送リソースを構成することを含み、当該複数の端末デバイスは、当該複数の専用伝送リソース内の異なる専用伝送リソースを同時に利用してデータを送信するために用いられる。
【００３４】
第２の形態及びその実現可能な方式と結合し、第２の形態の他の実現可能な方式において、当該ネットワークデバイスが第１の端末デバイスのために専用伝送リソースを構成することは、当該ネットワークデバイスと他のネットワークデバイスとが当該専用伝送リソースを協議して確定し、当該他のネットワークデバイスと当該ネットワークデバイスとが同一の無線アクセスネットワークＲＡＮ領域内の異なるネットワークデバイスである。
【００３５】
なお、当該ネットワークデバイスが他のネットワークデバイスとが少なくとも１つの端末デバイスの専用伝送リソースを確定し、当該少なくとも１つの端末デバイスは、当該第１の端末デバイスを含む。
【００３６】
第２の形態及びその実現可能な方式と結合し、第２の形態の他の実現可能な方式において、当該リソース構成情報は、当該第１の端末デバイスの識別子を含む。
【００３７】
このように、本願の実施例のリソース構成方法は、ネットワークデバイスが端末デバイスに専用伝送リソースを構成し、端末デバイスが接続状態にあるときに専用伝送リソースを端末デバイスに送信することで、端末デバイスが非アクティブ状態またはアイドル状態にあるときに専用伝送リソースを用いて他の端末デバイスとの間でデータを伝送することができ、端末デバイスが非アクティブ状態またはアイドル状態にあるときにもネットワークデバイスが設定した専用伝送リソースを用いることができ、端末デバイスの省電力化を図ることができるとともに、端末デバイスが専用のリソースの利点を受けることができる
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するためのユニットを含む。
【００３８】
第４の態様は、上記の第２の態様または第２の態様の任意の可能な実装における方法を実行するためのネットワークデバイスを提供する。具体的には、ネットワークデバイスは、上記の第２の態様または第２の態様の任意の可能な実装形態における方法を実行するためのユニットを含む。
【００３９】
第５の態様は、記憶ユニットと、プロセッサとを備える端末デバイスを提供し、プロセッサは、記憶ユニットに記憶された命令を実行し、プロセッサがメモリに記憶された命令を実行すると、第１の態様または第１の態様の可能な実装のいずれかにおける方法をプロセッサに実行させる。
【００４０】
第６の態様は、記憶ユニットと、記憶ユニットに記憶された命令を実行するプロセッサとを備えるネットワークデバイスを提供し、プロセッサがメモリに記憶された命令を実行すると、プロセッサに、第２の態様または第２の態様の可能な実装のいずれかを実行させる。
【００４１】
第７の態様は、第１の態様または第１の態様の任意の可能な実装における方法を実行するための命令を含むコンピュータプログラムを記憶するためのコンピュータ可読媒体を提供する。
【００４２】
第８の態様は、第２の態様または第２の態様の任意の可能な実装における方法を実行するための命令を含むコンピュータプログラムを記憶するためのコンピュータ可読媒体を提供する。
【００４３】
第９の態様は、命令を備えるコンピュータプログラム製品を提供し、コンピュータが前記コンピュータプログラム製品の前記命令を実行すると、コンピュータが、上記の第１の態様または第１の態様の任意の可能な実装におけるリソース構成の方法を実行する。具体的には、当該コンピュータプログラム製品は、上記第３の態様における端末デバイスで実行され得る。
【００４４】
第１０の態様は、命令を備えるコンピュータプログラム製品を提供し、コンピュータが前記コンピュータプログラム製品の前記命令を実行すると、コンピュータが、上記の第２の態様または第２の態様の任意の可能な実装におけるリソース構成の方法を実行する。具体的には、当該コンピュータプログラム製品は、上記第４の態様のネットワークデバイス上で動作することができる。
【図面の簡単な説明】
【００４５】
【図１】本願の実施例におけるリソース構成方法のフローチャートである。
【図２】本願の実施例におけるリソース構成方法の他のフローチャートである。
【図３】本願の実施例における端末デバイスのブロック図である。
【図４】本願の実施例におけるネットワークデバイスのブロック図である。
【図５】本願の実施例における端末デバイスの他のブロック図である。
【図６】本願の実施例におけるネットワークデバイスの他のブロック図である。
【発明を実施するための形態】
【００４６】
以下、本発明の実施例について図面を参照して説明する。
【００４７】
本発明の実施例による技術的解決策は、ＬＴＥシステム、ＬＴＥ周波数分割複信( ｆｒｅｑｕｅｎｃｙ ｄｉｖｉｓｉｏｎ ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、ユニバーサル移動通信システム( ｕｎｉｖｅｒｓａｌ ｍｏｂｉｌｅ ｔｅｌｅｃｏｍｍｕｎｉｃａｔｉｏｎ ｓｙｓｔｅｍ、ＵＭＴＳ )将来の第５世代( ５ｔｈ ｇｅｎｅｒａｔｉｏｎ、５Ｇ )システム、即ち、新しい無線( ｎｅｗ ｒａｄｉｏ、ＮＲ )などの様々な通信システムに適用されてもよい。
【００４８】
本発明の実施例における端末デバイスは、ユーザ機器、アクセス端末、ユーザ装置、ユーザ局、移動局、リモート端末、モバイル装置、ユーザ端末、無線通信装置、ユーザエージェント又はユーザ装置を指すことができる。端末デバイスは、セルラー電話、コードレス電話、セッション開始プロトコル( ｓｅｓｓｉｏｎ ｉｎｉｔｉａｔｉｏｎ ｐｒｏｔｏｃｏｌ、ＳＩＰ )電話、ワイヤレスローカルループ( ｗｉｒｅｌｅｓｓ ｌｏｃａｌ ｌｏｏｐ、ＷＬＬ )局、パーソナルデジタル処理( ｐｅｒｓｏｎａｌ ｄｉｇｉｔａｌ ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来進化する一般陸上モバイル通信ネットワーク( ｐｕｂｌｉｃ ｌａｎｄ ｍｏｂｉｌｅ ｎｅｔｗｏｒｋ、ＰＬＭＮ )における端末デバイスなどであってもよく、本願の実施例は、それらに限定されるものではない。
【００４９】
本発明の実施例におけるネットワークデバイスは、端末デバイスと通信するための装置であってもよく、該ネットワークデバイスは、ＬＴＥシステムにおける発展型基地局( ｅｖｏｌｕｔｉｏｎａｌ ＮｏｄｅＢ、ｅＮＢ又はｅＮｏｄｅＢ )であってもよく、クラウド無線アクセスネットワーク( ｃｌｏｕｄ ｒａｄｉｏ ａｃｃｅｓｓ ｎｅｔｗｏｒｋ、ＣＲＡＮ )シナリオにおける無線コントローラであってもよく、又は該ネットワークデバイスは、中継局、アクセスポイント、車載装置、ウェアラブル装置、及び将来の５Ｇネットワークにおけるネットワークデバイス又は将来の発展型PLMNネットワークにおけるネットワークデバイス等であってもよく、本発明の実施例は限定されない。
【００５０】
図１は本願の実施例におけるリソース構成方法１００のフローチャートであり、当該方法１００が端末デバイスにより実行される。図１に示すように、当該方法１００は、第１の端末デバイスが接続状態にある場合、ネットワークデバイスにより送信されたリソース構成情報を受信することを含み、当該リソース構成情報は、専用伝送リソースを示すＳ１１０を含む。
【００５１】
本願の実施例において、第１の端末デバイスが接続状態にある時、ネットワークデバイスは、当該第１の端末デバイスのために専用伝送リソースを割り当て、リソース構成情報が当該第１の端末デバイスに当該専用伝送リソースを送信し、当該専用伝送リソースは、当該第１の端末デバイスが第２の端末デバイスにデータを送信するために用いられる。ここで、当該第１の端末デバイスは任意の端末デバイスであり、当該第２の端末デバイスは、第１の端末デバイスの以外の端末デバイスであり、当該専用伝送リソースは、リソースプールであっても良い。
【００５２】
この専用伝送リソースは、ネットワークデバイスが他のネットワークデバイスと協議して決定され得ることを理解されたい。具体的には、同じ無線アクセスネットワーク( Ｒａｄｉｏ Ａｃｃｅｓｓ Ｎｅｔｗｏｒｋ、ＲＡＮ )エリア内の異なるネットワークデバイス間で、Ｘｎインターフェースを介してネゴシエーションを行い、１つの端末デバイス又は端末デバイスのグループに含まれる複数の端末デバイスのための専用伝送リソースを構成することができる。
【００５３】
なお、同一のＲＡＮ ａｒｅａにおける異なるネットワークデバイスが複数の端末デバイスに対して構成した専用伝送リソースは、複数の端末デバイスに専用に使用されるリソースである共有リソースプールとは異なる。例えば、同一のＲＡＮ ａｒｅａにおける異なるネットワークデバイスが、複数の端末デバイスのための専用伝送リソースを決定するために協議し、１つのネットワークデバイスによって、当該複数の端末デバイスの第１の端末デバイスのために構成された専用伝送リソースを示すリソース構成情報を、第１の端末デバイスに送信することができる。
【００５４】
本願の実施例において、当該第１の端末デバイスがネットワークデバイスにより送信されたＲＲＣメッセージを受信し、当該ＲＲＣメッセージに当該リソース構成情報が含まれ、当該リソース構成情報は、当該第１の端末デバイスの専用伝送リソースを示す。
【００５５】
具体的には、ＲＲＣメッセージは、第１の端末デバイスに状態遷移を指示するためにも使用され得る。例えば、第１の端末デバイスがネットワークデバイスによって送信されたＲＲＣメッセージを受信して、第１の端末デバイスが現在の接続状態から非アクティブ状態またはアイドル状態に移行することを示すために使用され得る場合、第１の端末デバイスは、ＲＲＣメッセージに従って接続状態から非アクティブ状態またはアイドル状態に移行し、さらに、ＲＲＣメッセージ内のリソース構成情報によって示される専用伝送リソースを決定し、第１の端末デバイスは、専用伝送リソースを使用してサイドリンクのデータ送信を行う。これにより、非アクティブ状態又はアイドル状態の端末デバイスが、ネットワークデバイスとインタラクションせず、サイドリンクで送信されたデータを受信することができることを保証することができる。
【００５６】
本発明の実施例において、ネットワークデバイスが第１の端末デバイスに送信するリソース構成情報は、第１の端末デバイスの識別子をさらに含むことができ、例えば、ネットワークデバイスが端末デバイスのコンテキストを維持するインデックスなど、このインデックスが非アクティブ状態の端末デバイスに対しいて、複数のネットワークデバイスに一意であっても良い。第１の端末デバイスの識別子は、第１の端末デバイスを一意に識別することができ、リソース構成情報において示される専用伝送リソースが第１の端末デバイスのために構成されるリソースであることを示すことができる。任意選択で、第１の端末デバイスは、サイドリンク伝送中の送信元アドレス又は送信先アドレスとして、識別子を自身の識別子としてもよい。任意選択で、第１の端末デバイスの識別子は、特定のハッシュ又はトランケートされたアルゴリズムを介するなどして、関連処理を受けて、第１の端末デバイスを一意に識別する短い識別子を生成することもでき、本願の実施例は、これに限定されない。
【００５７】
図１に示されるように、方法１００は、第１の端末デバイスが非アクティブ状態又はアイドル状態にあるとき、専用伝送リソースを使用して、第１の端末デバイス以外の任意の端末デバイスである第２の端末デバイスにデータを送信するステップＳ１２０を更に含む。
【００５８】
ネットワークデバイスが第一の端末デバイスに対して構成する専用伝送リソースは、第一の端末デバイスのみに対応してもよく、第１の端末デバイスを含む端末デバイスグループに対応してもよいことを理解すべきである。具体的には、ネットワークデバイスが、第１の端末デバイスに専用伝送リソースを割り当てるだけで、第１の端末デバイスは、構成された専用伝送リソースに従って、構成された時間内にリソースを専有的に使用することができる。任意選択で、ネットワークデバイスは、第１の端末デバイスが属する端末デバイスグループに専用伝送リソースを構成し、端末デバイスグループのそれぞれが専用伝送リソースを使用してもよい。
【００５９】
本発明の実施例において、ネットワークデバイスが端末デバイスグループにサイドリンク用の伝送リソースを割り当てる場合、端末デバイスグループに同時に送信する少なくとも２つの端末デバイスが存在しないように、端末デバイスグループにグループ関係がある場合、ネットワークデバイスは、端末デバイスグループに１つの専用伝送リソースを割り当てることができ、例えば、端末デバイスグループに専用伝送リソースを割り当て、端末デバイスグループの各端末デバイスは、専用伝送リソースを使用する。端末デバイスグループにあるグループ関係が存在しない場合、すなわち、端末デバイスグループに同時に送信する端末デバイスが複数存在する場合には、端末デバイスグループに複数の専用伝送リソースを割り当てることにより、同時に送信する複数の端末デバイスが異なる専用伝送リソースを使用することができる。
【００６０】
任意選択で、ネットワークデバイスが、端末デバイスグループに同じ専用伝送リソース、例えば、同じリソースプールを割り当てる場合、ネットワークデバイスは、端末デバイスグループの識別子によって専用伝送リソースを識別してもよく、例えば、ネットワークデバイスが端末デバイスグループのいずれかの端末デバイスに送信する専用伝送リソースを示すリソース構成情報が、端末デバイスグループの識別子を含んでもよく、これにより、端末デバイスグループの各端末デバイスが専用伝送リソースを使用してもよい。
【００６１】
任意選択で、第１の端末デバイスは専用伝送リソースを用いて第２の端末デバイスにデータを送信することができるが、当該専用伝送リソースだけでなく、第１の端末デバイスは共有リソースプールを用いて、例えば、リッスン方式により、共有リソースプール内のリソースを用いてサイドリンクのデータ伝送を行うこともでき、本願の実施例はこれに限定されない。
【００６２】
本願の実施例において、当該方法１００は、さらに、当該第１の端末デバイスがネットワークデバイスにより送信された受信リソース情報を受信することを含み、当該受信リソース情報は、受信リソース集合を示し、これによって、当該第１の端末デバイスが非アクティブ状態又はアイドル状態にある場合、当該受信リソース集合内のリソースを利用して第３の端末デバイスにより送信されたデータを受信し、当該第３の端末デバイスは、当該第１の端末デバイスの以外の他の端末デバイスである。
【００６３】
なお、ネットワークデバイスは、少なくとも１つの端末デバイスに受信のための受信リソース集合を構成し、ＳＩＢ又はＲＲＣシグナリングを介して、当該少なくとも１つの端末デバイスに当該受信リソース集合を送信し、例えば、ネットワークデバイスは、当該受信リソース集合を含む受信リソース情報を送信して、当該少なくとも１つの端末デバイスの各端末デバイスが当該受信リソース集合において、他の端末デバイスにより送信されたデータのリソースを受信して確定する。
【００６４】
任意選択で、当該ネットワークデバイスは、周期的に放送されたＳＩＢを介して当該少なくとも１つの端末デバイスに、当該受信リソース集合を含む受信リソース情報を送信し、又は、当該少なくとも１つの端末デバイスの任意の端末デバイスの要求に応じて、当該端末デバイスに当該受信リソース集合を割り当てる。
【００６５】
本願の実施例において、ネットワークデバイスが第１の端末デバイスに受信リソース情報を送信し、当該受信リソース情報は、受信リソース集合を示し、第１の端末デバイスが当該受信リソース集合内のリソースを利用して他の端末デバイスにより送信されたデータを受信することができる。任意選択で、ネットワークデバイスは、さらに、当該受信リソース集合において一部のリソースを専用伝送リソースとして確定し、第１の端末デバイスに当該専用伝送リソースを送信し、第２の端末デバイスに当該受信リソース集合を送信する、この場合、第１の端末デバイスは当該専用伝送リソースを利用して第２の端末デバイスにデータを送信し、当該第２の端末デバイスは、受信リソース集合に応じて受信リソースを確定することで、第１の端末デバイスにより送信されたデータを受信する。
【００６６】
このように、本願の実施例のリソース構成方法は、端末デバイスが接続状態のときにネットワークデバイスから割り当てられた専用伝送リソースを受信し、非アクティブ状態またはアイドル状態のときにその専用伝送リソースを用いて他の端末デバイスとデータを伝送することにより、端末デバイスが非アクティブ状態またはアイドル状態のときにネットワークデバイスから構成された専用伝送リソースを用いることができ、端末デバイスの省電力化を図るとともに、専用リソースの利点を利用することができる。
【００６７】
以上、図１を参照して端末デバイスの観点から本発明の一実施例によるリソース構成方法を詳細に説明したが、図２を参照してネットワークデバイスの観点から本発明の一実施例によるリソース構成方法を説明する。
【００６８】
図２は、本願の実施例におけるリソース構成方法２００のフローチャートであり、当該方法２００はネットワークデバイスにより実行される。図２に示すように、当該方法２００は、Ｓ２１０及びＳ２２０を含み、Ｓ２１０において、ネットワークデバイスが第１の端末デバイスのために専用伝送リソースを構成し、当該専用伝送リソースは、当該第１の端末デバイスが非アクティブ状態又はアイドル状態にある時に第２の端末デバイスにデータを送信するために用いられ、Ｓ２２０において、当該ネットワークデバイスが接続状態にある当該第１の端末デバイスにリソース構成情報を送信し、当該リソース構成情報は、当該専用伝送リソースを示す。
【００６９】
このように、本願の実施例のリソース構成方法は、ネットワークデバイスが端末デバイスに専用伝送リソースを構成し、端末デバイスが接続状態にあるときに専用伝送リソースを端末デバイスに送信することで、端末デバイスが非アクティブ状態またはアイドル状態にあるときに専用伝送リソースを用いて他の端末デバイスとの間でデータを伝送することができ、端末デバイスが非アクティブ状態またはアイドル状態にあるときにもネットワークデバイスが設定した専用伝送リソースを用いることができ、端末デバイスの省電力化を図ることができるとともに、端末デバイスが専用のリソースの利点を受けることができる。
【００７０】
任意選択で、当該ネットワークデバイスが接続状態にある当該第１の端末デバイスにリソース構成情報を送信することは、当該ネットワークデバイスが当該接続状態にある当該第１の端末デバイスにＲＲＣメッセージを送信することを含み、当該ＲＲＣメッセージは当該リソース構成情報を含む。
【００７１】
任意選択で、当該ＲＲＣメッセージは、当該第１の端末デバイスが当該接続状態から当該非アクティブ状態又はアイドル状態に移行するように指示する。
【００７２】
任意選択で、当該方法２００は、さらに、当該ネットワークデバイスが当該接続状態にある当該第１の端末デバイスに受信リソース情報を送信することを含み、当該受信リソース情報は、受信リソース集合を示し、当該受信リソース集合内のリソースは、当該第１の端末デバイスが非アクティブ状態又はアイドル状態にある時に第３の端末デバイスにより送信されたデータを受信するために用いられる。
【００７３】
任意選択で、当該ネットワークデバイスが当該接続状態にある当該第１の端末デバイスに受信リソース情報を送信することは、当該ネットワークデバイスが当該接続状態にある当該第１の端末デバイスにＲＲＣシグナリング又はＳＩＢを送信することを含み、当該ＲＲＣシグナリングと当該ＳＩＢとは、当該受信リソース情報を含む。
【００７４】
任意選択で、当該ネットワークデバイスが当該接続状態にある当該第１の端末デバイスにＲＲＣメッセージ又はＳＩＢを送信することは、当該ネットワークデバイスが周期的に当該ＳＩＢを放送することを含む。
【００７５】
任意選択で、当該ネットワークデバイスが第１の端末デバイスのために専用伝送リソースを構成することは、当該ネットワークデバイスが当該受信リソース集合から当該専用伝送リソースを確定することを含む。
【００７６】
任意選択で、当該ネットワークデバイスが第１の端末デバイスのために専用伝送リソースを構成することは、当該ネットワークデバイスが端末デバイスグループのために当該専用伝送リソースを構成することを含み、当該端末デバイスグループは少なくとも２つの端末デバイスを含み、当該少なくとも２つの端末デバイスは当該第１の端末デバイスを含む。
【００７７】
任意選択で、当該端末デバイスグループに同時にデータを送信する複数の端末デバイスが存在せず、当該ネットワークデバイスが端末デバイスグループのために当該専用伝送リソースを構成することは、当該ネットワークデバイスが当該端末デバイスグループのために当該専用伝送リソースを構成することを含み、当該端末デバイスグループに１つの端末デバイスのみが当該専用伝送リソースを利用してデータを送信する。
【００７８】
任意選択で、当該端末デバイスグループに同時にデータを送信する複数の端末デバイスが存在し、当該ネットワークデバイスが端末デバイスグループのために当該専用伝送リソースを構成することは、当該ネットワークデバイスが当該端末デバイスグループのために複数の専用伝送リソースを構成することを含み、当該複数の端末デバイスは、当該複数の専用伝送リソース内の異なる専用伝送リソースを利用してデータを送信するために用いられる。
【００７９】
任意選択で、当該ネットワークデバイスが第１の端末デバイスのために専用伝送リソースを構成することは、当該ネットワークデバイスと他のネットワークデバイスとが当該専用伝送リソースを協議して確定し、当該他のネットワークデバイスと当該ネットワークデバイスとが、同一の無線アクセスネットワークＲＡＮ領域内の異なるネットワークデバイスである。
【００８０】
任意選択で、当該リソース構成情報は、当該第１の端末デバイスの識別子を含む。
【００８１】
なお、本願の実施例における方法２００のネットワークデバイスは、方法１００のネットワークデバイスに相当し、当該方法２００の第１の端末デバイスは、方法１００の第１の端末デバイスに相当し、ここで説明を省略する。
【００８２】
このように、本願の実施例のリソース構成方法は、ネットワークデバイスが端末デバイスに専用伝送リソースを構成し、端末デバイスが接続状態にあるときに専用伝送リソースを端末デバイスに送信することで、端末デバイスが非アクティブ状態またはアイドル状態にあるときに専用伝送リソースを用いて他の端末デバイスとの間でデータを伝送することができ、端末デバイスが非アクティブ状態またはアイドル状態にあるときにもネットワークデバイスが設定した専用伝送リソースを用いることができ、端末デバイスの省電力化を図ることができるとともに、端末デバイスが専用のリソースの利点を受けることができる。
【００８３】
本発明の様々な実施例において、上述のプロセスの順序のサイズは、実行順序の先後を意味するものではなく、各プロセスの実行順序は、その機能及び内部ロジックにおいて決定されるべきであり、本発明の実施例のプロセスを何ら限定するものではないことを理解されたい。
【００８４】
以上、図１〜図２を参照して本発明の一実施例によるリソース構成方法について詳細に説明したが、図３〜図６を参照して本発明の一実施例による端末デバイス及びネットワークデバイスについて説明する。
【００８５】
図３に示すように、本願の実施例における端末デバイス３００は、受信ユニット３１０及び送信ユニット３２０を含む。
【００８６】
具体的に、受信ユニット３１０は、当該端末デバイス３００が接続状態にある場合、ネットワークデバイスにより送信されたリソース構成情報を受信するように構成され、当該リソース構成情報は、専用伝送リソースを示し、送信ユニット３２０は、当該端末デバイス３００が非アクティブ状態又はアイドル状態にある場合、当該専用伝送リソースを利用して第２の端末デバイスにデータを送信するように構成される。
【００８７】
このように、本願の実施例の端末デバイスが接続状態のときにネットワークデバイスから割り当てられた専用伝送リソースを受信し、非アクティブ状態またはアイドル状態のときにその専用伝送リソースを用いて他の端末デバイスとデータを伝送することにより、端末デバイスが非アクティブ状態またはアイドル状態のときにネットワークデバイスから構成された専用伝送リソースを用いることができ、端末デバイスの省電力化を図るとともに、専用リソースの利点を利用することができる。
【００８８】
任意選択で、当該受信ユニット３１０は、具体的に、当該端末デバイス３００が接続状態にある場合、当該ネットワークデバイスにより送信されたＲＲＣメッセージを受信するように構成され、当該ＲＲＣメッセージは当該リソース構成情報を含む。
【００８９】
任意選択で、当該ＲＲＣメッセージは、当該端末デバイス３００が当該接続状態から当該非アクティブ状態又はアイドル状態に移行するように指示する。
【００９０】
任意選択で、当該受信ユニット３１０は、さらに、当該端末デバイス３００が当該接続状態にある場合、当該ネットワークデバイスにより送信された受信リソース情報を受信するように構成され、当該受信リソース情報は、受信リソース集合を示し、当該端末デバイス３００が非アクティブ状態又はアイドル状態にある場合、当該受信リソース集合内のリソースを利用して第３の端末デバイスにより送信されたデータを受信するように構成される。
【００９１】
任意選択で、当該受信ユニット３１０は、具体的に、当該端末デバイス３００が当該接続状態にある場合、当該ネットワークデバイスにより送信されたＲＲＣシグナリング又はＳＩＢを受信するように構成され、当該ＲＲＣシグナリングと当該ＳＩＢとは、当該受信リソース情報を含む。
【００９２】
任意選択で、当該受信ユニット３１０は、具体的に、当該端末デバイス３００が当該接続状態にある場合、当該ネットワークデバイスにより周期的に放送された当該ＳＩＢを受信するように構成される。
【００９３】
任意選択で、当該専用伝送リソースが当該受信リソース集合に属する。
【００９４】
任意選択で、当該専用伝送リソースは、端末デバイスグループのデータ送信に使用され、当該端末デバイスグループは、少なくとも２つの端末デバイスを含み、当該少なくとも２つの端末デバイスは、当該端末デバイス３００を含む。
【００９５】
任意選択で、当該端末デバイスグループにおいて同時にデータを送信する複数の端末デバイスが存在せず、当該端末デバイスグループにおいて端末デバイスのみが当該専用伝送リソースを利用してデータを送信する。
【００９６】
任意選択で、当該端末デバイスグループにおいて同時にデータを送信する複数の端末デバイスが存在し、当該複数の端末デバイスは、同時に異なる専用伝送リソースを利用してデータを送信する。
【００９７】
任意選択で、当該リソース構成情報は、当該端末デバイス３００の識別子を含む。
【００９８】
任意選択で、当該端末デバイス３００の識別子は、当該端末デバイス３００が当該第２の端末デバイスにデータを送信する送信元アドレスを示す。
【００９９】
本発明の一実施例による端末デバイス３００は、本発明の実施例による方法１００を実行することに対応し、端末デバイス３００の各部における上述した及びその他の動作及び/又は機能は、図１乃至図２に示す各方法における端末デバイスの対応するフローをそれぞれ実現するために、簡潔のために、ここでは繰り返し説明しないことが理解される。
【０１００】
このように、本願の実施例の端末デバイスが接続状態のときにネットワークデバイスから割り当てられた専用伝送リソースを受信し、非アクティブ状態またはアイドル状態のときにその専用伝送リソースを用いて他の端末デバイスとデータを伝送することにより、端末デバイスが非アクティブ状態またはアイドル状態のときにネットワークデバイスから構成された専用伝送リソースを用いることができ、端末デバイスの省電力化を図るとともに、専用リソースの利点を利用することができる。
【０１０１】
図４に示すように、本願の実施例におけるネットワークデバイス４００は、処理ユニット４１０及び送信ユニット４２０を含む。
【０１０２】
具体的に、処理ユニット４１０は、第１の端末デバイスのために専用伝送リソースを構成するように構成され、当該専用伝送リソースは、当該第１の端末デバイスが非アクティブ状態又はアイドル状態にある場合第２の端末デバイスにデータを送信するために使用され、送信ユニット４２０は、接続状態にある当該第１の端末デバイスにリソース構成情報を送信するように構成され、当該リソース構成情報は、当該専用伝送リソースを示す。
【０１０３】
このように、本願の実施例のネットワークデバイスが端末デバイスに専用伝送リソースを構成し、端末デバイスが接続状態にあるときに専用伝送リソースを端末デバイスに送信することで、端末デバイスが非アクティブ状態またはアイドル状態にあるときに専用伝送リソースを用いて他の端末デバイスとの間でデータを伝送することができ、端末デバイスが非アクティブ状態またはアイドル状態にあるときにもネットワークデバイスが設定した専用伝送リソースを用いることができ、端末デバイスの省電力化を図ることができるとともに、端末デバイスが専用のリソースの利点を受けることができる。
【０１０４】
任意選択で、当該送信ユニット４２０は、具体的に、当該接続状態にある当該第１の端末デバイスにＲＲＣメッセージを送信するように構成され、当該ＲＲＣメッセージは当該リソース構成情報を含む。
【０１０５】
任意選択で、当該ＲＲＣメッセージは、当該第１の端末デバイスが当該接続状態から当該非アクティブ状態又はアイドル状態に移行するように構成される。
【０１０６】
任意選択で、当該送信ユニット４２０は、さらに、当該接続状態にある当該第１の端末デバイスに受信リソース情報を送信するように構成され、当該受信リソース情報は、受信リソース集合を示し、当該受信リソース集合内のリソースは、当該第１の端末デバイスが非アクティブ状態又はアイドル状態にある場合に第３の端末デバイスにより送信されたデータを受信するために使用される。
【０１０７】
任意選択で、当該送信ユニット４２０は、具体的に、当該接続状態にある当該第１の端末デバイスにＲＲＣシグナリング又はＳＩＢを送信するように構成され、当該ＲＲＣシグナリングと当該ＳＩＢとは、当該受信リソース情報を含む。
【０１０８】
任意選択で、当該送信ユニット４２０は、具体的に、周期的に当該ＳＩＢを放送するように構成される。
【０１０９】
任意選択で、当該処理ユニット４１０は、具体的に、当該受信リソース集合から当該専用伝送リソースを確定するように構成される。
【０１１０】
任意選択で、当該処理ユニット４１０は、具体的に、端末デバイスグループのために当該専用伝送リソースを構成するように構成され、当該端末デバイスグループは少なくとも２つの端末デバイスを含み、当該少なくとも２つの端末デバイスは当該第１の端末デバイスを含む。
【０１１１】
任意選択で、当該端末デバイスグループに同時にデータを送信する複数の端末デバイスが存在せず、当該処理ユニット４１０は、具体的に、当該端末デバイスグループのために当該専用伝送リソースを構成するように構成され、当該端末デバイスグループにおいて１つの端末デバイスのみが当該専用伝送リソースを利用してデータを送信する。
【０１１２】
任意選択で、当該端末デバイスグループに同時にデータを送信する複数の端末デバイスが存在し、当該処理ユニット４１０は、具体的に、当該端末デバイスグループのために複数の専用伝送リソースを構成するように構成され、当該複数の端末デバイスは、同時に当該複数の専用伝送リソース内の異なる専用伝送リソースを利用してデータを送信する。
【０１１３】
任意選択で、当該処理ユニット４１０は、具体的に、他のネットワークデバイスと当該専用伝送リソースを協議して確定し、当該他のネットワークデバイスと当該ネットワークデバイス４００とは、同一の無線アクセスネットワークＲＡＮ領域内の異なるネットワークデバイスである。
【０１１４】
任意選択で、当該リソース構成情報は当該第１の端末デバイスの識別子を含む。
【０１１５】
本発明の実施例によるネットワークデバイス４００は、本発明の実施例における方法２００を実行することに対応してもよく、ネットワークデバイス４００の各部の上記及び他の動作及び/又は機能は、それぞれ、図１乃至図２における各方法を実施するためのネットワークデバイスの対応するフローを実施するためのものであり、簡潔にするために、ここでは繰り返し説明しないことを理解されたい。
【０１１６】
このように、本願の実施例のネットワークデバイスが端末デバイスに専用伝送リソースを構成し、端末デバイスが接続状態にあるときに専用伝送リソースを端末デバイスに送信することで、端末デバイスが非アクティブ状態またはアイドル状態にあるときに専用伝送リソースを用いて他の端末デバイスとの間でデータを伝送することができ、端末デバイスが非アクティブ状態またはアイドル状態にあるときにもネットワークデバイスが設定した専用伝送リソースを用いることができ、端末デバイスの省電力化を図ることができるとともに、端末デバイスが専用のリソースの利点を受けることができる。
【０１１７】
図５は、本発明の実施例による端末デバイス５００の概略ブロック図を示しており、図５に示すように、端末デバイス５００は、プロセッサ５１０と、プロセッサ５１０に接続された送受信機５２０と、任意選択的に、プロセッサ５１０に接続されたメモリ５３０とを備える。前記プロセッサ５１０、メモリ５３０、及び前記送受信機５２０は、内部接続経路を介して互いに通信してデータ信号を伝送及び/又は制御するように構成され、前記メモリ５３０は、命令を格納するように構成され、前記プロセッサ５１０は、前記メモリ５３０に格納された命令を実行して、前記送受信機５２０を制御して、情報又は信号を送信するように構成され、前記送受信機５２０は、前記端末デバイス５００が接続状態にある場合に、ネットワークデバイスによって送信される、専用伝送リソースを示すリソース構成情報を受信するように構成され、前記送受信機５２０は、前記端末デバイス５００が非アクティブ状態又はアイドル状態にある場合に、前記専用伝送リソースを使用して前記第２の端末デバイスにデータを送信するように構成される。
【０１１８】
このように、本願の実施例の端末デバイスが接続状態のときにネットワークデバイスから割り当てられた専用伝送リソースを受信し、非アクティブ状態またはアイドル状態のときにその専用伝送リソースを用いて他の端末デバイスとデータを伝送することにより、端末デバイスが非アクティブ状態またはアイドル状態のときにネットワークデバイスから構成された専用伝送リソースを用いることができ、端末デバイスの省電力化を図るとともに、専用リソースの利点を利用することができる。
【０１１９】
任意選択で、一実施例として、当該受信ユニット３１０は、具体的に、当該端末デバイス５００が接続状態にあり場合、当該ネットワークデバイスにより送信されたＲＲＣメッセージを受信するように構成され、当該ＲＲＣメッセージは、当該リソース構成情報を含む。
【０１２０】
任意選択で、一実施例として、当該ＲＲＣメッセージは、当該端末デバイス５００が当該接続状態から当該非アクティブ状態又はアイドル状態に移行するように指示する。
【０１２１】
任意選択で、一実施例として、当該受信ユニット３１０は、さらに、当該端末デバイス５００が当該接続状態にある場合、当該ネットワークデバイスにより送信された受信リソース情報を受信するように構成され、当該受信リソース情報は、受信リソース集合を示し、当該端末デバイス５００が非アクティブ状態又はアイドル状態にある場合、当該受信リソース集合内のリソースを利用して第３の端末デバイスにより送信されたデータを受信するように構成される。
【０１２２】
任意選択で、一実施例として、当該受信ユニット３１０は、具体的に、当該端末デバイス５００が当該接続状態にある場合、当該ネットワークデバイスにより送信されたＲＲＣシグナリング又はＳＩＢを受信するように構成され、当該ＲＲＣシグナリングと当該ＳＩＢとは、当該受信リソース情報を含む。
【０１２３】
任意選択で、一実施例として、当該受信ユニット３１０は、具体的に、当該端末デバイス５００が当該接続状態にある場合、当該ネットワークデバイスにより周期的に放送された当該ＳＩＢを受信するように構成される。
【０１２４】
任意選択で、一実施例として、当該専用伝送リソースは、当該受信リソース集合に属する。
【０１２５】
任意選択で、一実施例として、当該専用伝送リソースは、端末デバイスグループのデータ送信に使用され、当該端末デバイスグループは、少なくとも２つの端末デバイスを含み、当該少なくとも２つの端末デバイスは、当該端末デバイス５００を含む。
【０１２６】
任意選択で、一実施例として、当該端末デバイスグループにおいて同時にデータを送信する複数の端末デバイスが存在せず、当該端末デバイスグループにおいて１つの端末デバイスのみが当該専用伝送リソースを利用してデータを送信する。
【０１２７】
任意選択で、一実施例として、当該端末デバイスグループに同時にデータを送信する複数の端末デバイスが存在し、当該複数の端末デバイスは、同時に異なる専用伝送リソースを利用してデータを送信する。
【０１２８】
任意選択で、一実施例として、当該リソース構成情報は、当該端末デバイス５００の識別子を含む。
【０１２９】
任意選択で、一実施例として、当該端末デバイス５００の識別子は、当該端末デバイス５００が当該第２の端末デバイスにデータを送信する送信元アドレスを示す。
【０１３０】
本発明の実施例による端末デバイス５００は、本発明の実施例による端末デバイス３００に対応し、本発明の実施例による方法１００を実行するための対応するエージェントに対応し、端末デバイス５００における各ユニットの上記及びその他の動作及び/又は機能は、それぞれ図１及び図２における各方法における端末デバイスの対応するフローを実現するために、簡潔のためにここでは繰り返し説明しないことが理解される。
【０１３１】
このように、本願の実施例の端末デバイスが接続状態のときにネットワークデバイスから割り当てられた専用伝送リソースを受信し、非アクティブ状態またはアイドル状態のときにその専用伝送リソースを用いて他の端末デバイスとデータを伝送することにより、端末デバイスが非アクティブ状態またはアイドル状態のときにネットワークデバイスから構成された専用伝送リソースを用いることができ、端末デバイスの省電力化を図るとともに、専用リソースの利点を利用することができる。
【０１３２】
図６は、本発明の実施例に係るネットワークデバイス６００の概略ブロック図を示しており、図６に示すように、プロセッサ６１０と、プロセッサ６１０に接続された送受信機６２０とを備え、更に、必要に応じて、プロセッサ６１０に接続されたメモリ６３０を備えている。プロセッサ６１０、命令を記憶するために使用され得るメモリ６３０、および送受信機６２０は、送受信機６２０を制御して情報または信号を送信するためにメモリ６３０によって記憶された命令を実行するように構成され、当該プロセッサ６１０は、第１の端末デバイスのために専用伝送リソースを構成し、当該専用伝送リソースは、当該第１の端末デバイスが非アクティブ状態又はアイドル状態にある場合第２の端末デバイスにデータを送信し、当該送受信機６２０は、接続状態にある当該第１の端末デバイスにリソース構成情報を送信し、当該リソース構成情報は、当該専用伝送リソースを示す。
【０１３３】
このように、本願の実施例のネットワークデバイスが端末デバイスに専用伝送リソースを構成し、端末デバイスが接続状態にあるときに専用伝送リソースを端末デバイスに送信することで、端末デバイスが非アクティブ状態またはアイドル状態にあるときに専用伝送リソースを用いて他の端末デバイスとの間でデータを伝送することができ、端末デバイスが非アクティブ状態またはアイドル状態にあるときにもネットワークデバイスが設定した専用伝送リソースを用いることができ、端末デバイスの省電力化を図ることができるとともに、端末デバイスが専用のリソースの利点を受けることができる。
【０１３４】
任意選択で、一実施例として、当該送受信機６２０は、当該接続状態にある当該第１の端末デバイスにＲＲＣメッセージを送信し、当該ＲＲＣメッセージは、当該リソース構成情報を含む。
【０１３５】
任意選択で、一実施例として、当該ＲＲＣメッセージは、当該第１の端末デバイスが当該接続状態から当該非アクティブ状態又はアイドル状態に移行するように指示する。
【０１３６】
任意選択で、一実施例として、当該送受信機６２０は、当該接続状態にある当該第１の端末デバイスに受信リソース情報を送信するように構成され、当該受信リソース情報は、受信リソース集合を示し、当該受信リソース集合内のリソースは、当該第１の端末デバイスが非アクティブ状態又はアイドル状態にある時に第３の端末デバイスにより送信されたデータを受信するために使用される。
【０１３７】
任意選択で、一実施例として、当該送受信機６２０は、当該接続状態にある当該第１の端末デバイスにＲＲＣシグナリング又はＳＩＢを送信するように構成され、当該ＲＲＣシグナリングと当該ＳＩＢとは、当該受信リソース情報を含む。
【０１３８】
任意選択で、一実施例として、当該送受信機６２０は、当該ＳＩＢを周期的に放送するように構成される。
【０１３９】
任意選択で、一実施例として、当該プロセッサ６１０は、当該受信リソース集合から当該専用伝送リソースを確定するように構成される。
【０１４０】
任意選択で、一実施例として、当該プロセッサ６１０は、端末デバイスグループのために当該専用伝送リソースを構成するように構成され、当該端末デバイスグループは少なくとも２つの端末デバイスを含み、当該少なくとも２つの端末デバイスは当該第１の端末デバイスを含む。
【０１４１】
任意選択で、一実施例として、当該端末デバイスグループにおいて同時にデータを送信する複数の端末デバイスが存在せず、当該プロセッサ６１０は、当該端末デバイスグループのために当該専用伝送リソース構成するように構成され、当該端末デバイスグループにおいて１つの端末デバイスのみが当該専用伝送リソースを利用してデータを送信する。
【０１４２】
任意選択で、一実施例として、当該端末デバイスグループに同時にデータを送信する複数の端末デバイスが存在し、当該プロセッサ６１０は、当該端末デバイスグループのために複数の専用伝送リソースを構成するように構成され、当該複数の端末デバイスは、当該複数の専用伝送リソース内の異なる専用伝送リソースを利用してデータを送信する。
【０１４３】
任意選択で、一実施例として、当該プロセッサ６１０は、他のネットワークデバイスと当該専用伝送リソースを協議して確定し、当該他のネットワークデバイスと当該ネットワークデバイス５００とは、同一の無線アクセスネットワークＲＡＮ領域内の異なるネットワークデバイスである。
【０１４４】
任意選択で、一実施例として、当該リソース構成情報は、当該第１の端末デバイスの識別子を含む。
【０１４５】
本発明の実施例によるネットワークデバイス６００は、本発明の実施例によるネットワークデバイス４００に対応し、本発明の実施例による方法２００を実行する対応するエージェントに対応してもよく、ネットワークデバイス６００における様々なユニットの上記及び他の動作及び/又は機能は、図１及び図２における様々な方法におけるネットワークデバイスの対応するフローをそれぞれ実現するために、簡潔のためにここでは繰り返し説明しないことが理解されるべきである。
【０１４６】
このように、本願の実施例のネットワークデバイスが端末デバイスに専用伝送リソースを構成し、端末デバイスが接続状態にあるときに専用伝送リソースを端末デバイスに送信することで、端末デバイスが非アクティブ状態またはアイドル状態にあるときに専用伝送リソースを用いて他の端末デバイスとの間でデータを伝送することができ、端末デバイスが非アクティブ状態またはアイドル状態にあるときにもネットワークデバイスが設定した専用伝送リソースを用いることができ、端末デバイスの省電力化を図ることができるとともに、端末デバイスが専用のリソースの利点を受けることができる。
【０１４７】
本明細書に記載の方法の実施例は、プロセッサに適用されてもよく、またはプロセッサによって実装されてもよいことに留意されたい。プロセッサは、信号の処理能力を有する集積回路チップであり得る。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１４８】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。限定ではなく例として、ＲＡＭは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、ダブルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ Ｄｙｎａｍｉｃ Ｒａｎｄｏｍ Ａｃｃｅｓｓ Ｍｅｍｏｒｙ （ ｅｎｈａｎｃｅｄ ｓＤＲＡＭ、ＥＳＤＲＡＭ )、同期接続ダイナミックランダムアクセスメモリ( ｓｙｎｃｈｌｉｎｋ ＤＲＡＭ、ＳＬＤＲＡＭ )、及びダイレクトメモリバスランダムアクセスメモリ( ｄｉｒｅｃｔ ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１４９】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５０】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１５１】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１５２】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１５３】
また、本発明の各実施例における各機能部は、１つの処理部に集積されてもよく、各部は、物理的に別個に存在してもよく、２つ以上の部が１つの部に集積されてもよい。
【０１５４】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、リードオンリーメモリ( ＲＯＭ、Ｒｅａｄ−Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【０１５５】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲の保護範囲に準ずるものとする。
【図１】
2021500758.tif 000003
【図２】
2021500758.tif 000004
【図３】
2021500758.tif 000005
【図４】
2021500758.tif 000006
【図５】
2021500758.tif 000007
【図６】
2021500758.tif 000008
【手続補正書】
【提出日】令和2年8月26日(2020.8.26)
【手続補正１】
【補正対象書類名】明細書
【補正対象項目名】０１１９
【補正方法】変更
【補正の内容】
【０１１９】
任意選択で、一実施例として、当該送受信機５２０は、具体的に、当該端末デバイス５００が接続状態にあり場合、当該ネットワークデバイスにより送信されたＲＲＣメッセージを受信するように構成され、当該ＲＲＣメッセージは、当該リソース構成情報を含む。
【手続補正２】
【補正対象書類名】明細書
【補正対象項目名】０１２１
【補正方法】変更
【補正の内容】
【０１２１】
任意選択で、一実施例として、当該送受信機５２０は、さらに、当該端末デバイス５００が当該接続状態にある場合、当該ネットワークデバイスにより送信された受信リソース情報を受信するように構成され、当該受信リソース情報は、受信リソース集合を示し、当該端末デバイス５００が非アクティブ状態又はアイドル状態にある場合、当該受信リソース集合内のリソースを利用して第３の端末デバイスにより送信されたデータを受信するように構成される。
【手続補正３】
【補正対象書類名】明細書
【補正対象項目名】０１２２
【補正方法】変更
【補正の内容】
【０１２２】
任意選択で、一実施例として、当該送受信機５２０は、具体的に、当該端末デバイス５００が当該接続状態にある場合、当該ネットワークデバイスにより送信されたＲＲＣシグナリング又はＳＩＢを受信するように構成され、当該ＲＲＣシグナリングと当該ＳＩＢとは、当該受信リソース情報を含む。
【手続補正４】
【補正対象書類名】明細書
【補正対象項目名】０１２３
【補正方法】変更
【補正の内容】
【０１２３】
任意選択で、一実施例として、当該送受信機５２０は、具体的に、当該端末デバイス５００が当該接続状態にある場合、当該ネットワークデバイスにより周期的に放送された当該ＳＩＢを受信するように構成される。
【手続補正５】
【補正対象書類名】特許請求の範囲
【補正対象項目名】全文
【補正方法】変更
【補正の内容】
【特許請求の範囲】
【請求項１】
第１の端末デバイスが接続状態にある場合、ネットワークデバイスにより送信されたリソース構成情報を受信することと、
前記第１の端末デバイスが非アクティブ状態又はアイドル状態にある場合、専用伝送リソースを利用して第２の端末デバイスにデータを送信することとを含み、
前記リソース構成情報は、前記専用伝送リソースを示す
ことを特徴とするリソース構成方法。
【請求項２】
前記ネットワークデバイスにより送信されたリソース構成情報を受信することは、
前記第１の端末デバイスが前記ネットワークデバイスにより送信された無線リソース制御ＲＲＣメッセージを受信することを含み、前記ＲＲＣメッセージは、前記リソース構成情報を含む
ことを特徴とする請求項１に記載のリソース構成方法。
【請求項３】
前記ＲＲＣメッセージは、前記第１の端末デバイスが前記接続状態から前記非アクティブ状態又はアイドル状態に移行するように指示する
ことを特徴とする請求項２に記載のリソース構成方法。
【請求項４】
前記方法は、さらに、
前記第１の端末デバイスが前記接続状態にある場合、前記ネットワークデバイスにより送信された受信リソース情報を受信することと、
前記第１の端末デバイスが非アクティブ状態又はアイドル状態にある場合、受信リソース集合内のリソースを利用して第３の端末デバイスにより送信されたデータを受信することとを含み、
前記受信リソース情報は、前記受信リソース集合を示す
ことを特徴とする請求項１〜３のいずれか１項に記載のリソース構成方法。
【請求項５】
前記ネットワークデバイスにより送信された受信リソース情報を受信することは、
前記第１の端末デバイスが前記ネットワークデバイスにより送信されたＲＲＣシグナリング又はシステム情報ブロックＳＩＢを受信することを含み、
前記ＲＲＣシグナリングと前記ＳＩＢとは、前記受信リソース情報を含む
ことを特徴とする請求項４に記載のリソース構成方法。
【請求項６】
前記第１の端末デバイスが前記ネットワークデバイスにより送信されたＲＲＣメッセージ又はシステム情報ブロックＳＩＢを受信することは、
前記第１の端末デバイスが前記ネットワークデバイスにより周期的に放送される前記ＳＩＢを受信することを含む
ことを特徴とする請求項５に記載のリソース構成方法。
【請求項７】
前記専用伝送リソースは、前記受信リソース集合に属する
ことを特徴とする請求項４〜６のいずれか１項に記載のリソース構成方法。
【請求項８】
前記専用伝送リソースは、端末デバイスグループのデータ送信に用いられ、前記端末デバイスグループは、少なくとも２つの端末デバイスを含み、前記少なくとも２つの端末デバイスは、前記第１の端末デバイスを含む
ことを特徴とする請求項１〜７のいずれか１項に記載のリソース構成方法。
【請求項９】
前記端末デバイスグループにおいて同時にデータを送信する複数の端末が存在しなく、前記端末デバイスグループにおいて１つの端末デバイスのみが前記専用伝送リソースを利用してデータを送信し、
又は、
前記端末デバイスグループにおいて同時にデータを送信する複数の端末が存在しており、前記複数の端末デバイスが異なる専用伝送リソースを同時に利用してデータを送信する
ことを特徴とする請求項８に記載のリソース構成方法。
【請求項１０】
前記リソース構成情報は、前記第１の端末デバイスの識別子を含む
ことを特徴とする請求項１〜９のいずれか１項に記載のリソース構成方法。
【請求項１１】
前記第１の端末デバイスの識別子は、前記第１の端末デバイスが前記第２の端末デバイスにデータを送信する送信元アドレスを示す
ことを特徴とする請求項１０に記載のリソース構成方法。
【請求項１２】
ネットワークデバイスが第１の端末デバイスのために専用伝送リソースを構成することと、
前記ネットワークデバイスが接続状態にある前記第１の端末デバイスにリソース構成情報を送信することとを含み、
前記専用伝送リソースは、前記第１の端末デバイスが非アクティブ状態又はアイドル状態にある場合、第２の端末デバイスにデータを送信するために用いられ、
前記リソース構成情報は、前記専用伝送リソースを示す
ことを特徴とするリソース構成方法。
【請求項１３】
前記ネットワークデバイスが接続状態にある前記第１の端末デバイスにリソース構成情報を送信することは、
前記ネットワークデバイスが前記接続状態にある前記第１の端末デバイスに無線リソース制御ＲＲＣメッセージを送信することを含み、前記ＲＲＣメッセージは、前記リソース構成情報を含む
ことを特徴とする請求項１２に記載のリソース構成方法。
【請求項１４】
前記ＲＲＣメッセージは、前記第１の端末デバイスが前記接続状態から前記非アクティブ状態又はアイドル状態に移行するように指示する
ことを特徴とする請求項１３に記載のリソース構成方法。
【請求項１５】
前記方法は、さらに、
前記ネットワークデバイスが前記接続状態にある前記第１の端末デバイスに受信リソース情報を送信することを含み、前記受信リソース情報は、受信リソース集合を示し、前記受信リソース集合内のリソースは、前記第１の端末デバイスが非アクティブ状態又はアイドル状態にある時に第３の端末デバイスにより送信されたデータを受信するために用いられる
ことを特徴とする請求項１２〜１４のいずれか１項に記載のリソース構成方法。
【請求項１６】
前記ネットワークデバイスが前記接続状態にある前記第１の端末デバイスに受信リソース情報を送信することは、
前記ネットワークデバイスが前記接続状態にある前記第１の端末デバイスにＲＲＣシグナリング又はシステム情報ブロックＳＩＢを送信することを含み、前記ＲＲＣシグナリングと前記ＳＩＢとは、前記受信リソース情報を含む
ことを特徴とする請求項１５に記載のリソース構成方法。
【請求項１７】
前記ネットワークデバイスが前記接続状態にある前記第１の端末デバイスにＲＲＣメッセージ又はシステム情報ブロックＳＩＢを送信することは、
前記ネットワークデバイスが前記ＳＩＢを周期的に放送することを含む
ことを特徴とする請求項１６に記載のリソース構成方法。
【請求項１８】
前記ネットワークデバイスが第１の端末デバイスのために専用伝送リソースを構成することは、
前記ネットワークデバイスが前記受信リソース集合から前記専用伝送リソースを確定することを含む
ことを特徴とする請求項１５〜１７のいずれか１項に記載のリソース構成方法。
【請求項１９】
請求項１〜１１のいずれか1項に記載のリソース構成方法を実行する
ことを特徴とする端末デバイス。
【請求項２０】
請求項１２〜１８のいずれか1項に記載のリソース構成方法を実行する
ことを特徴とするネットワークデバイス。
【国際調査報告】
2021500758.tif 000009
2021500758.tif 000010
2021500758.tif 000011
2021500758.tif 000012